(57)【要約】【課題】座り心地がよく、使用後の廃棄の際の分別に手間がかからず、環境に対して負荷の少ないリサイクルが容易な椅子を提供する。【解決手段】（１）　表裏二層の編地を連結糸で連結した立体編物とこれを保持する保持部材で構成された椅子であって、前記立体編物を背部および／または座部に用い、かつ該立体編物と同一の素材を前記保持部材に用いたリサイクルが容易な椅子。（２）　前記同一素材がポリトリメチレンテレフタレートであるリサイクルが容易な椅子。【選択図】　なし【特許請求の範囲】
【請求項１】
表裏二層の編地を連結糸で連結した立体編物とこれを保持する保持部材で構成された椅子であって、前記立体編物を背部および／または座部に用い、かつ該立体編物と同一の素材を前記保持部材に用いたことを特徴とするリサイクルが容易な椅子。
【請求項２】
前記同一素材がポリトリメチレンテレフタレートであることを特徴とする請求項１記載のリサイクルが容易な椅子。
【発明の詳細な説明】
【０００１】
【発明の属する技術分野】
本発明はリサイクルが容易な椅子に関し、さらに詳しくは椅子の座席の背部および／または座部に立体編物を用い、かつ該立体編物と同一の素材で該立体編物を保持する保持部材を構成した環境に対する負荷の少ないリサイクルが容易な椅子に関する。
【０００２】
【従来の技術】
従来の椅子には、背部や座部のクッション材としてポリウレタンなどの発泡体が用いられ、また、これらを保持する部材としては金属が一般的に用いられている。また車両用や家庭用の椅子の背部や座部には立体編物を一部に用いた椅子が提案されている（例えば、特許文献１等）。この立体編物は通気性、衝撃吸収性、安全性、快適性、デザイン性などに優れるため、立体編物を用いた椅子や椅子用シートの需要が拡大しつつある。
一方、地球環境への関心が高まり、特にゴミ問題の深刻化から、従来のように焼却処分や埋立処分による使用後の椅子の廃棄では、今後その捨て場所が確保できなくなる可能性がある。また焼却する際に発生する二酸化炭素が地球温暖化の原因であると指摘されており、焼却そのものも今後禁止される可能性がある。
【０００３】
このような状況下において椅子のリサイクルが求められているが、上記したように椅子にはポリウレタンと金属などのような異種の素材が使用され、そのままではリサイクルするのが困難であり、また分別にも手間がかかるため、椅子のリサイクルが広がっていないというのが現状であった。
このような問題を解決する方法として、椅子に使用する表張地や固定具の廃棄リサイクル分別を容易にするために、これらをポリプロピレン合成樹脂などの同一の素材を用いて形成した椅子における表張地の装着構造が提案されている（例えば、特許文献２等）。しかし、この場合でもクッション材には異種の素材が使用されているため、依然として分別に手間がかかるという問題があった。
【０００４】
【特許文献１】
特開２００１−６１５８４号公報
【特許文献２】
特開２０００−３１６６７９号公報
【０００５】
【発明が解決しようとする課題】
本発明の課題は、上記従来技術の問題を解決し、座り心地がよく、使用後の廃棄の際の分別に手間がかからず、環境に対して負荷の少ないリサイクルが容易な椅子を提供することにある。
【０００６】
【課題を解決するための手段】
本発明者は、椅子を構成する座席の背部や座部などの繊維部分（クッション部分等）やこれらを保持する樹脂部分について鋭意検討した結果、前記繊維部分を立体編物で構成し、かつ、保持部材を立体編物と同一の素材で構成することにより、上記課題を達成できることを見出し、本発明に到達した。
上記課題を達成するために本願で特許請求される発明は以下の通りである。
（１）表裏二層の編地を連結糸で連結した立体編物とこれを保持する保持部材で構成された椅子であって、前記立体編物を背部および／または座部に用い、かつ該立体編物と同一の素材を前記保持部材に用いたことを特徴とするリサイクルが容易な椅子。
（２）前記同一素材がポリトリメチレンテレフタレートであることを特徴とする（１）記載のリサイクルが容易な椅子。
【０００７】
【発明の実施の形態】
本発明における椅子は、立体編物とこれを保持する保持部材で構成され、椅子の背部および／または座部には該立体編物が用いられる。
本発明に用いられる立体編物は、表裏二層の編地と連結糸で構成され、それぞれの繊維には同一の素材が用いられる。該立体編物を構成する繊維としては、ポリエステル系（ポリエチレンテレフタレート、ポリトリメチレンテレフタレート等）、ポリアミド系（ナイロン６、ナイロン６６、ナイロン６１０等）、ポリオレフィン系（ポリエチレン、ポリプロピレン等）などの合成繊維が用いられるが、後述するように該立体編物を保持する保持部材と同一素材であることが必要である。繊維の形態はフィラメントやステープルであってもよく、原糸、混繊糸、混紡糸、仮撚糸などいずれの形態であってもよいが、椅子の座席としての耐久性に優れ、へたりが少ない等の点からポリトリメチレンテレフタレートを用いるのが特に好ましい。
【０００８】
立体編物の表裏二層の編地には、マルチフィラメント原糸、モノフィラメント原糸、紡績糸などが用いられ、これらには仮撚り加工、押し込み捲縮加工、噴射捲縮加工などが施されていてもよい。表裏編地の繊維繊度には特に制限はなく、例えば、３０〜１０００ｄｔｅｘの繊維が用いられる。
立体編物の連結糸には、通常、モノフィラメント原糸が用いられるが、モノフィラメントとマルチフィラメントを引き揃えて、または交編して用いてもよい。連結糸の繊維には、通常、２０〜１５００ｄｔｅｘの繊度のものが用いられる。好ましい繊維繊度は５０〜１１００ｄｔｅｘである。またマルチフィラメントとモノフィラメントを併用する場合は、これらの繊度比（マルチフィラメント：モノフィラメント）は１：１〜１：３０の範囲で併用することが好ましい。この範囲で使用すると、座席に座ったときのきしみ音等を小さくすることができる。また表裏二層および連結糸に用いる繊維の断面形状は、丸、四角、三角、扁平等の任意の断面を用いることができる。
【０００９】
連結糸は、表裏二層の編地を結び付ける機能を有していればよく、連結糸により表裏編地中にループ状の編み目を形成してもよく、また表裏編地にタック組織状に引っかけた構造としてもよい。さらに必要に応じて連結糸を傾斜して配置したり、Ｘ状に交叉して配置してもよい。
また、連結糸の編密度は、５平方センチ内の連結糸の本数をＮ（本／６．４５ｃｍ２　）とし、連結糸のデニールをＤ（ｇ／９×１０５　ｃｍ）、連結糸の比重をρ（ｇ／ｃｍ３　）としたときに、立体編物６．４５ｃｍ２　の中にある連結糸の総断面積（Ｎ・Ｄ／９×１０５　・ρ）が０．０５〜１．０ｃｍ２　であるのが好ましく、より好ましくは０．３〜０．６ｃｍ２　である。これにより、立体編物の適度な弾性回復性、フィット性、形状追従性などの人体に接する用途としての最適な特性が得られる。上記連結糸の総断面積が０．０５ｃｍ２　未満では弾性回復性が低下し易くなり、１．０ｃｍ２　を超えるとフィット性、形状追従性が低下し易くなる。
【００１０】
立体編物は、例えば、公知の２列の針列を有するダブルラッシェル機、ダブル丸編機等を用いて編成することができる。編成する際には表裏二層の編地をメッシュ編地、マーギゼット編地等の複数の開口部を有する編地とし、通気性や透水性を向上させてもよい。また表裏の編地は同じ編組織であっても異なる編組織であってもよい。
立体編物の厚さや目付は希望に応じて適宜選定すればよいが、例えば、厚みは２〜４０ｍｍの範囲が好ましく、より好ましくは３〜２０ｍｍである。また立体編物の目付は８０〜２０００ｇ／ｍ２　の範囲が好ましく、より好ましくは１００〜１０００ｇ／ｍ２　である。また立体編物は必要に応じて所望のサイズに裁断したり、または裁断後の編地片を縫製または熱成形により所望の形状にして用いてもよい。
【００１１】
本発明におけるリサイクルが容易な椅子は、上記した立体編物を保持する保持部材を有する。該保持部材は、上記立体編物と同一の素材で構成される。該保持部材としては、椅子の構造によりその部材の種類が異なるが、例えば、立体編物を固定する留め具、取付け板、保持フレーム、脚部等の部材が挙げられる。保持部材はその１００％が立体編物と同一の素材で構成されている必要はなく、その全体重量の５％以下であれば、他の樹脂や金属などの他の素材を用いて構成されていてもよい。この程度の他の素材の使用であればリサイクルには特に支障がない。従って、このようなリサイクルに支障のない範囲で他の素材を含む椅子も本発明の椅子に包含される。また本発明における椅子は立体編物と同一の素材で構成されていれば、通常の方法で織編された表張地等を含んでいてもよい。
【００１２】
【実施例】
以下、本発明を実施例により具体的に説明するが、本発明はこれらに限定されるものではない。
実施例１
６枚筬を装備した１８ゲージ、釜間５ｍｍのダブルラッシェル機を用い、下記に示す編組織で表裏メッシュの立体編物を編成した。すなわち、中間に位置する二枚の筬（Ｌ３、Ｌ４）から連結糸として２００ｄｔｅｘのポリエチレンテレフタレート繊維モノフィラメント糸を供給し、編機前面に位置する二枚の筬（Ｌ１、Ｌ２）から表編地用糸として１６７ｄｔｅｘ／４８ｆのポリエチレンテレフタレートマルチフィラメント糸を、また編機背面に位置する二枚の筬（Ｌ５、Ｌ６）から裏編地用糸として１６７ｄｔｅｘ／４８ｆのポリエチレンテレフタレートマルチフィラメント糸をいずれもガイドに１イン１アウトの配列で供給し、打ち込み２２コース／インチで編成した。得られた立体編物を７０℃で精練後、　幅出し熱セット（１８０℃）し、立体編物を得た。
【００１３】
（編組織）
Ｌ１：１０１１／１２１１／１０１１／１２１１／１０１１／１２２２／２３２
２／２１２２／２３２２／２１２２／２３２２／２１１１／
Ｌ２：２３２２／２１２２／２３２２／２１２２／２３２２／２１１１／１０１
１／１２１１／１０１１／１２１１／１０１１／１２２２／
Ｌ３：１０１０／１２１２／１０１０／１２１２／１０１０／１２１２／２３２
３／２１２１／２３２３／２１２１／２３２３／２１２１／
Ｌ４：２３２３／２１２１／２３２３／２１２１／２３２３／２１２１／１０１
０／１２１２／１０１０／１２１２／１０１０／１２１２／
Ｌ５：１１１０／１１１２／１１１０／１１１２／１１１０／１１１２／２２２
３／２２２１／２２２３／２２２１／２２２３／２２２１／
Ｌ６：２２２３／２２２１／２２２３／２２２１／２２２３／２２２１／１１１
０／１１１２／１１１０／１１１２／１１１０／１１１２／
【００１４】
得られた立体編物を椅子の座および背に使用すると共に、それらを保持するフレームおよび椅子を支える脚部をポリエチレンテレフタレート樹脂で構成し、１００％ポリエチレンテレフタレート製の椅子を得た。
得られたポリエチレンテレフタレート製の椅子は、同一素材で構成されているためにリサイクル時に分別の必要がなく、リサイクルが極めて容易であり、また立体編物を背および座に使用しているために快適性に優れていた。
【００１５】
実施例２
実施例１において、その素材をポリトリメチレンテレフタレートに変更した以外は、実施例１と同様にして立体編物を編成し、１００％ポリトリメチレンテレフタレート製の椅子を得た。
得られたポリトリメチレンテレフタレート製の椅子は同一素材で構成されているためにリサイクル時に分別の必要がなく、リサイクルが極めて容易であり、また立体編物を背および座に使用しているために快適性に優れていた。特にその素材がポリトリメチレンテレフタレート製のため圧縮弾性回復性に優れ、へたりの極めて少ない椅子であった。
【００１６】
比較例１
実施例１において、立体編物を支えるフレームと脚部の素材にポリプロピレンを用いた以外は、実施例１と同様にして椅子を得た。得られた椅子は立体編物を背および座に使用しているために快適性に極めて優れるものの、ポリトリメチレンテレフタレートとポリプロピレンの異種類の素材で構成されているため、リサイクルのしづらい椅子であった。
【００１７】
比較例２
実施例２において、立体編物を支えるフレームと脚部の素材にポリプロピレンを用いた以外は、実施例１と同様にして椅子を得た。得られた椅子は立体編物を背および座に使用しているために快適性に極めて優れ、またその素材がポリトリメチレンテレフタレート製のため圧縮弾性回復性に優れ、へたりの極めて少ないものの、ポリトリメチレンテレフタレートとポリプロピレンの異種類の素材で構成されているため、リサイクルに分別が必要で、リサイクルのしづらい椅子であった。
【００１８】
比較例３
実施例１において、背および座にポリトリメチレンテレフタレート製のシングルメッシュを用いた以外は、実施例１と同様の椅子を得た。得られた椅子は、同一素材で構成されているためにリサイクル性は非常に良好なものの、背および座に立体編物を用いていないために快適性の劣る椅子であった。
【００１９】
【発明の効果】
本発明の椅子は、座り心地がよく、使用後の廃棄の際の分別に手間がかからず、リサイクルが容易であり、環境に対する負荷を軽減することができる。